(57)【要約】【課題】  丁字路、交差点での出会い頭、右折時の事故では、交通事故の原因のうち車や歩行者の見落としなどドライバーの認知ミスは、約6割に上り最も多い。  とりわけ高齢ドライバーはその傾向が特に強い。  このように高齢者やハンデイのある人が普通に運転が出来る為の、うっかり運転、見落としを補う警告点滅表示灯装置を安価に提供する【解決手段】  一時停止線に進入する車両を感知するセンサー、優先道路を進行する車両を感知するセンサーを設け、点滅する赤色灯、音声警告装置、ストロボライト、フラッシュライトの閃光で停止を喚起し歩行者の存在、進行してくる車両の存在をいち早く警告する。【選択図】図5
2009252655.tif 000002
【特許請求の範囲】
【請求項１】
丁字路、交差点に侵入する二方向の車両を別々に感知するセンサーをも設けた事を特徴とする特許請請求項1の一時停止赤色警告点滅灯装置。
【請求項２】
一時停止位置に差しかかる車両を感知し発光点滅する一時停止警告灯を一時停止線近くの歩車道ブロックに支柱を設け取り付け設けた事を特徴とする特許請請求項1の一時停止赤色警告点滅灯装置。
【請求項３】
丁字路の一時停止位置に差しかかる車両を感知し発光点滅する一時停止警告灯をカーブミラー支柱に取り付けした事を特徴とする特許請請求項1の一時停止赤色警告点滅灯装置。
【請求項４】
丁字路の一時停止位置に差しかかる車両を感知し発光点滅する一時停止警告灯を一時停止道路標識支柱に取り付けした事を特徴とする特許請請求項1の一時停止赤色警告点滅灯装置。
【請求項５】
丁字路の交差点で一時停止線付近に侵入する車両をセンサーが感知し、一時停止赤色警告点滅灯装置が点滅作動し、優先道路車両感知センサーが進行してくる車両を感知した場合、一時停止赤色警告灯の点滅間隔を速めランダムに警告灯が点滅する事を特徴とする特許請請求項2の一時停止赤色警告点滅灯装置。
【請求項６】
一時停止赤色警告点滅灯装置内に音声警告装置を設けた事を特徴とする特許請請求項3の一時停止赤色警告点滅灯装置。
【請求項７】
一時停止付近に侵入する車両を感知するセンサー、（1）と優先道路を直進してくる車両を感知するセンサー（2）が連動し作動することでフラッシュランプの閃光が発生する事を特徴とする特許請請求項4の一時停止閃光警告点滅灯装置。
【発明の詳細な説明】
【技術分野】
【０００１】
年々進む高齢化社会での運転中の事故の当事者について調べたところ75歳以上のドライバーが9割近く何らかの法令違反が有り、目立つのは一時停止や安全不確認が若年層より交差点での出会い頭の事故の割合が高く75歳以上では、３件に一件となっている。
【０００２】
交通事故の原因のうち車や歩行者の見落としなどのドライバーの認知ミスは６割に上り最も多い、とりわけ高齢者ドライバーはその傾向が強い。
【０００３】
高齢に伴い視力の低下、視野の減少、聴力の衰え、機敏性が欠けこれらの症状が、道路標識の見落とし、進行してくる車の見落としにつながり、認知ミス、うっかり運転等により事故が発生する。
【０００４】
今後益々高齢者ドライバーが増えるにつれ、高齢者の認知ミス、うっかり運転の事故が多くなると予想され、認知ミス、うっかり運転の予防装置、予防道路標識、高齢者、ハンデイのある人が普通に暮らし、運転できる為の支援ツールの開発が求められている。
【０００５】
一時停止線で停止しても停止線周辺の障害物、建物等の為、直進してくる車両の確認がしにくい丁字路も数多くある。
【背景技術】
【０００６】
高齢者の道路標識の見落としを防止する為に従来の道路標識よりも一回り大きく作られた標識を設置している所もある。
【０００７】
停止後、安全確認がしにくい丁字路ではカーブミラーを設置している。
【０００８】
追突事故、出会い頭の事故の多い場所では、道路わきに赤色回転等を常時作動させている場所も有る。
【０００９】
出会い頭の事故の多い一時停止付近に設けている一時停止を喚起する赤色回転灯が常時作動している表示灯では見慣れている為か、注意を喚起する赤色回転灯があるにもかかわらず安全不確認の為、進行してくる車両の見落としの事故、うっかり運転による一時停止を怠り交差点への進入等が有る。
【００１０】
既存の一時停止道路標識内に常時点滅するLEDを散りばめた道路標識も有る。
【特許文献１】特開平07-133607
【特許文献２】特開平11-025719
【特許文献３】特開平11-025718
【発明の開示】
【発明が解決しようとする課題】
【００１１】
丁字路、交差点での出会い頭の衝突事故が毎年多く発生してきている。
【００１２】
高齢者ドライバーが、一時停止を怠り、うっかり運転で引き起こす出会い頭の衝突事故が年々増えてきている。
【課題を解決するための手段】
【００１３】
丁字路の交差点の一時停止線に進入してくる車両を感知し、車両に一時停止赤色警告点滅灯装置を点滅表示し、優先道路を進行してくる車両を感知した場合、赤色点滅する一時停止警告灯の点滅間隔速度を変え、停止線に近づく車両に直進してくる車両の存在することを音声で警告し停止を喚起する。
【００１４】
事故発生の多い丁字路、交差点等では、閃光フラッシュランプ、ストロボランプ等を用いて一字停止線に進入する車両にいち早く優先道路直進してくる車両の存在を警告する。
【発明の効果】
【００１５】
一時停止道路標識の支柱、カーブミラー支柱等に一時停止赤色警告点滅灯装置を取り付けができる為、設置費用が安価に出来る利点が有る。
【００１６】
近年、超輝度の発光ダイオード、LEDの商品価格の低下、太陽電池パネルの価格の低下等、消費電力の少ないLEDランプを使用する事で電源となる電力配線を必要としない為、普及要望に応えられる安価な価格で装置が提供できる。
【発明を実施するための最良の形態】
【００１７】
一時停止線に近づく車両を感知するセンサーと優先道路を進行してくる車両を感知するセンサーを設け超輝度のLEDランプを組み込んだ装置に太陽電池パネルからの電源を接続する。
【実施例１】
【００１８】
車両を感知するセンサーは、赤外線センサー等を用い、一時停止道路方向車両感知センサー、優先道路車両感知センサーを赤色点滅装置一端に設ける。
【００１９】
車両を感知するセンサーは、赤外線センサーを用いているが車両を感知できるセンサーであればどのようなセンサーを用いても良い。
【００２０】
車両感知センサーは、車両を感知する場所であれば、必ずしも一時停止赤色警告点滅灯装置に取り付けしなくとも、車両を感知できる場所に設置してもよい。
【００２１】
一時停止線に近づく車両を感知し一時停止赤色警告点滅灯装置の点滅灯が点滅する。
【００２２】
一時停止赤色警告点滅灯装置の発光点滅灯は、超輝度の赤色LEDを用いる。
【００２３】
LEDの配置は丸型点滅灯とするが道路状況事故発生率が高い一時停止の道路では、長方形に配置し点滅するようにする。
【００２４】
優先道路の進行する車両を感知するとLEDを右から左へ点滅し車両が丁字路に近づくにつれ点滅間隔を早める機能を持たせた装置としても良い。
【００２５】
赤色警告点滅灯をより目に付きやすくする為に、優先道路の進行する車両を感知すると点滅するLEDをランダムに点滅するような機能を持たせた装置としてもよい。
【００２６】
赤色警告点滅灯のLEDを矢印の形に配置し右から左に点滅する矢印としても良い。
【００２７】
LEDの配置を止まれの文字点滅表示灯としても良い。
【００２８】
LEDの配置を車の絵文字表示灯としても良い。
【００２９】
一時停止赤色警告点滅灯装置を一時停止道路標識支柱に取り付けしても良い。
【００３０】
一時停止赤色警告点滅灯装置をカーブミラー支柱に取り付けしてもよい。
【００３１】
一時停止線脇に備え付けてある歩車道ブロックに支柱を設け、一時停止赤色警告点滅灯装置を取付けしてもよい。
【実施例２】
【００３２】
一時停止道路標識支柱に、一時停止閃光警告点滅灯装置を取付けしてもよい。
【００３３】
カーブミラー支柱に一時停止閃光警告点滅灯装置を取り付けしてもよい。
【００３４】
一時停止車両、優先道路車両を感知しやすい場所、停止車両から、閃光を発生するストロボライトが見えやすいところに支柱を設け一時停止閃光警告点滅灯装置を取付けしてもよい。
【００３５】
閃光を発生するストロボランプは、一時停止線に進入する車両を感知し、優先道路を進行してくる車を感知して、初めて閃光を発生する装置で、停止線に進入する車両を感知しても、優先道路を進行してくる車両が無ければ閃光の発生が起きない装置でもある。
【００３６】
一時停止赤色警告点滅灯装置内に一時停止閃光警告点滅灯装置のストロボランプを組み込だ装置にしてもよい。
【００３７】
ストロボランプ、フラッシュランプを組み込んだ一時停止閃光警告点滅灯装置は、事故発生率の高い丁字路交差点に設けて事故防ぐものである。
【００３８】
一時停止赤色警告点滅灯装置内に音声発生装置を設け、優先道路を進行する車両を感知した場合、音声で車両接近を警告する。
【産業上の利用可能性】
【００３９】
丁字路、十字路交差点に設置している、既存の赤色点滅信号機内に優先道路を進行する車両を感知するセンサー装置を設け、車両を感知すると点滅速度を変える事で、一時停止しようとするドライバーにより効果的に注意を喚起する事が出来、信号機を変える事無く安価で警告装置が取り付けが出来る。
【図面の簡単な説明】
【００４０】
【図１】本発明の一時停止赤色警告点滅灯装置の発光点滅するLEDを矢印状に配置した一時停止赤色警告点滅灯装置で、装置一端に車両感知センサーを設けた斜視図である。
【図２】既存の一時停止道路標識に本発明の一時停止赤色警告点滅灯装置を  取り付けした状況斜視図。
【図３】既存のカーブミラーに本発明の一時停止赤色警告点滅灯装置を取り付けした状況斜視図。
【図４】一時停止赤色警告点滅灯装置を一時停止線周辺に支柱を設け取り付けしている状況斜視図。
【図５】一時停止赤色警告点滅灯装置上部一端にストロボランプ、フラッシュランプの一時停止閃光警告点滅灯装置を取り付けした状況斜視図。
【符号の説明】
【００４１】
１  一時停止線に進入する車両を感知するセンサー
２  優先道路を進行する車両を感知するセンサー
３  赤色発光点滅するLED
４  一時停止赤色警告点滅灯装置
５  一時停止道路標識
６  カーブミラー
７  太陽電池パネル
８  車両感知センサー
９  一時停止閃光警告点滅灯装置のストロボランプ、フラッシュランプ
【図１】
2009252655.tif 000003
【図２】
2009252655.tif 000004
【図３】
2009252655.tif 000005
【図４】
2009252655.tif 000006
【図５】
2009252655.tif 000007